(57)【要約】【課題】無電極放電灯の外れを正確に検出することのできる無電極放電灯点灯装置及びそれを用いた照明器具を提供する。【解決手段】制御回路４は、無電極放電灯３を始動させる始動モードと、無電極放電灯３の点灯期間Ｔ１及び不点灯期間Ｔ２を交互に繰り返し無電極放電灯３を調光点灯させる調光点灯モードとを有し、調光点灯モードにおいて高周波電圧Ｖｃｏｉｌと基準電圧Ｖｂとを比較して高周波電圧Ｖｃｏｉｌが基準電圧Ｖｂを上回る期間が第１の所定期間Ｔｄを超えると無電極放電灯３が外れたと判断して高周波電源回路２の動作を第２の所定期間Ｔｒの間停止させて始動モードに移行し、始動モードにおいて高周波電圧Ｖｃｏｉｌと基準電圧Ｖｂとを比較して高周波電圧Ｖｃｏｉｌが基準電圧Ｖｂを上回る期間が第３の所定期間Ｔｓを超えると無電極放電灯３が外れたと判断して高周波電源回路２の動作を停止させる。【選択図】図１
2010147011.tif 000002
【特許請求の範囲】
【請求項１】
交流電源からの交流電圧を直流電圧に変換して出力する直流電源回路と、高周波でスイッチングされる１乃至複数のスイッチング素子並びに共振回路を具備し直流電源回路の出力電圧を高周波電圧に変換して内部に放電ガスが封入されたバルブから成る無電極放電灯に近接配置された誘導コイルに供給する高周波電源回路と、スイッチング素子をスイッチングさせる駆動信号を出力する駆動回路と、駆動回路を制御して駆動信号の周波数を変化させることにより高周波電圧を可変して無電極放電灯の点灯制御を行う制御回路と、高周波電圧を検出する検出回路とを備え、制御回路は、無電極放電灯が始動可能な大きさの高周波電圧を誘導コイルに印加して無電極放電灯を始動させる始動モードと、無電極放電灯の点灯期間及び不点灯期間を交互に繰り返すように誘導コイルに高周波電圧を印加する調光点灯モードとを有し、調光点灯モードにおいて高周波電圧と予め設定された基準電圧とを比較して高周波電圧が基準電圧を上回る期間が第１の所定期間を超えると無電極放電灯が外れたと判断して高周波電源回路の動作を第２の所定期間の間停止させて始動モードに移行し、始動モードにおいて高周波電圧と基準電圧とを比較して高周波電圧が基準電圧を上回る期間が第３の所定期間を超えると無電極放電灯が外れたと判断して高周波電源回路の動作を停止させることを特徴とする無電極放電灯点灯装置。
【請求項２】
前記第３の所定期間は、第１の所定期間よりも長くなるように設定されたことを特徴とする請求項１記載の無電極放電灯点灯装置。
【請求項３】
前記第２の所定期間は、０．１秒よりも長くなるように設定されたことを特徴とする請求項１又は２記載の無電極放電灯点灯装置。
【請求項４】
少なくとも無電極放電灯を保持する保持部を有する器具本体と、無電極放電灯に近接配置される誘導コイルと、誘導コイルに高周波電力を供給する請求項１乃至３の何れか１項に記載の無電極放電灯点灯装置とを備えたことを特徴とする照明器具。
【請求項５】
前記保持部は、重力方向において無電極放電灯よりも重力向きと反対側に位置するように設けられたことを特徴とする請求項４記載の照明器具。
【発明の詳細な説明】
【技術分野】
【０００１】
本発明は、無電極放電灯点灯装置及びそれを用いた照明器具に関する。
【背景技術】
【０００２】
従来から、無電極放電灯を調光制御する無電極放電灯点灯装置が知られており、例えば特許文献１に開示されている。この従来例では、無電極放電灯に高周波電磁界を供給するための誘導コイルを有する負荷回路を含む安定器に調光回路が設けられている。調光回路は、周波数シフトキーイング（ＦＳＫ）を用いて安定器の周波数をシフトすることで無電極放電灯の調光を行うもので、安定器の直流−交流変換器にあるゲート駆動用インダクタに誘導結合された調光用インダクタと、信号発生器によって駆動される１対の調光用スイッチとを有する。そして、信号発生器からのＦＳＫパルス信号が１対の調光用スイッチに印加されると、安定器において周波数が変動して誘導コイルにおける出力が低下し、無電極放電灯が消灯する。この調光回路における周波数の変動を繰り返すことにより無電極放電灯が点灯・不点灯を交互に繰り返し、調光制御が行われる。このような無電極放電灯点灯装置では、点灯期間で発生したプラズマの電子及びイオンは、不点灯期間において再結合及び拡散によってその多くが消滅する。このため、図６に示すように、不点灯期間Ｔ２から点灯期間Ｔ１へ移行する際にプラズマを再発生する必要があり、誘導コイルに大きな再点弧電圧が発生する（同図の丸印ア参照）。
【０００３】
ところで、上記のような無電極放電灯点灯装置では、例えば施工時の取付不備や経年変化による構成部材の劣化等によって、無電極放電灯が誘導コイルに対する正しい取付位置から外れてしまう事があった。無電極放電灯が外れて誘導コイルからの距離が遠くなると、誘導コイルから発生した高周波電磁界が無電極放電灯内のプラズマに電力を供給することができず、プラズマが消滅する。この時、誘導コイルに大きな電流・電圧が発生するとともに、回路に過大なストレスが印加されるために無電極放電灯点灯装置の短寿命化や破壊を招く虞があった。このような事態を防ぐため、無電極放電灯の外れを検出する必要があるが、無電極放電灯には電極が無いために、無電極放電灯の外れを検出する方法として電極を接点にして蛍光ランプの外れを検出するという蛍光ランプで用いられる手法を採用することができない。また、無電極放電灯近傍に別途磁界検出部を設けることで無電極放電灯の外れを検出する手法が従来周知であり、例えば特許文献２に開示されているが、この手法では磁界検出部が別途必要となる。
【０００４】
そこで、無電極放電灯点灯装置に磁界検出部といった別部材を設けることなく無電極放電灯の外れを検出する方法としては、誘導コイルに発生した電流又は電圧を検出して予め設定された基準電圧と比較し、高周波電圧が基準電圧を超えた場合に高周波電源回路の出力を制限する方法が考えられる。
【特許文献１】特開２０００−３５３６００号公報
【特許文献２】特開２００６−６６２２７号公報
【発明の開示】
【発明が解決しようとする課題】
【０００５】
しかしながら、上記の方法では、上述のように無電極放電灯の再始動時に大きな再点弧電圧が発生するため、基準電圧を小さい電圧値に設定するとこの再点弧電圧が基準電圧を超えてしまい、無電極放電灯の外れを誤って検出する虞があった。これを防ぐために基準電圧を再点弧電圧よりも高く設定したとしても、無電極放電灯の点灯・不点灯を交互に繰り返す調光点灯時ではノイズ電圧が発生する可能性があり、このノイズ電圧を誤って検出する虞があった。
【０００６】
本発明は、上記の点に鑑みて為されたもので、無電極放電灯の外れを正確に検出することのできる無電極放電灯点灯装置及びそれを用いた照明器具を提供することを目的とする。
【課題を解決するための手段】
【０００７】
請求項１の発明は、上記目的を達成するために、交流電源からの交流電圧を直流電圧に変換して出力する直流電源回路と、高周波でスイッチングされる１乃至複数のスイッチング素子並びに共振回路を具備し直流電源回路の出力電圧を高周波電圧に変換して内部に放電ガスが封入されたバルブから成る無電極放電灯に近接配置された誘導コイルに供給する高周波電源回路と、スイッチング素子をスイッチングさせる駆動信号を出力する駆動回路と、駆動回路を制御して駆動信号の周波数を変化させることにより高周波電圧を可変して無電極放電灯の点灯制御を行う制御回路と、高周波電圧を検出する検出回路とを備え、制御回路は、無電極放電灯が始動可能な大きさの高周波電圧を誘導コイルに印加して無電極放電灯を始動させる始動モードと、無電極放電灯の点灯期間及び不点灯期間を交互に繰り返すように誘導コイルに高周波電圧を印加する調光点灯モードとを有し、調光点灯モードにおいて高周波電圧と予め設定された基準電圧とを比較して高周波電圧が基準電圧を上回る期間が第１の所定期間を超えると無電極放電灯が外れたと判断して高周波電源回路の動作を第２の所定期間の間停止させて始動モードに移行し、始動モードにおいて高周波電圧と基準電圧とを比較して高周波電圧が基準電圧を上回る期間が第３の所定期間を超えると無電極放電灯が外れたと判断して高周波電源回路の動作を停止させることを特徴とする。
【０００８】
請求項２の発明は、請求項１の発明において、第３の所定期間は、第１の所定期間よりも長くなるように設定されたことを特徴とする。
【０００９】
請求項３の発明は、請求項１又は２の発明において、第２の所定期間は、０．１秒よりも長くなるように設定されたことを特徴とする。
【００１０】
請求項４の発明は、少なくとも無電極放電灯を保持する保持部を有する器具本体と、無電極放電灯に近接配置される誘導コイルと、誘導コイルに高周波電力を供給する請求項１乃至３の何れか１項に記載の無電極放電灯点灯装置とを備えたことを特徴とする。
【００１１】
請求項５の発明は、請求項４の発明において、保持部は、重力方向において無電極放電灯よりも重力向きと反対側に位置するように設けられたことを特徴とする。
【発明の効果】
【００１２】
請求項１の発明によれば、調光点灯モードにおいて無電極放電灯の外れを検出した際に高周波電源回路の動作を一定期間停止させ、始動モードにおいて再度無電極放電灯の外れを検出することで、調光点灯時におけるノイズ電圧による誤検出を無くすことができ、したがって無電極放電灯の外れを正確に検出することができる。
【００１３】
請求項２の発明によれば、調光点灯モードよりも誤検出の起こり難い始動モードにおける検出期間を長くすることで、無電極放電灯の外れの検出精度を高めることができる。
【００１４】
請求項３の発明によれば、高周波電源回路の動作を停止してから無電極放電灯を再始動するまでの間に無電極放電灯に残留するプラズマを消滅させることができるので、再始動時における残留プラズマの影響を無くすことができ、無電極放電灯の外れの検出精度を高めることができる。
【００１５】
請求項４の発明によれば、請求項１乃至３の何れか１項に記載の効果を奏する照明器具を実現することができる。
【００１６】
請求項５の発明によれば、無電極放電灯が外れた際に自重により無電極放電灯が誘導コイルから十分に離れた位置に移動するため、無電極放電灯が確実に点灯しなくなり無電極放電灯の外れの検出精度を高めることができる。
【発明を実施するための最良の形態】
【００１７】
（実施形態１）
以下、本発明に係る無電極放電灯点灯装置の実施形態１について図面を用いて説明する。本実施形態は、図１（ａ）に示すように、交流電源である商用電源ＡＣからの交流電圧を直流電圧に変換して出力する直流電源回路１と、高周波でスイッチングされる２つのスイッチング素子Ｑ１，Ｑ２並びに共振回路２０を具備し直流電源回路１の出力電圧を高周波電圧Ｖｃｏｉｌに変換して無電極放電灯３に近接配置された誘導コイル３０に供給する高周波電源回路２と、スイッチング素子Ｑ１，Ｑ２をスイッチングさせる駆動信号を出力する駆動回路２１と、駆動回路２１を制御して駆動信号の周波数（以下、「駆動周波数ｆｉｎｖ」と呼ぶ）を変化させることにより高周波電圧Ｖｃｏｉｌを可変して無電極放電灯３０の点灯制御を行う制御回路４と、誘導コイル３０の両端間に接続されて高周波電圧Ｖｃｏｉｌを検出する検出回路５とから構成される。
【００１８】
また、制御回路４は、検出回路５で検出された検出電圧と基準電圧源Ｖｒｅｆの電源電圧とを比較する第１の比較回路４１と、第１の比較回路４１において検出電圧が基準電圧源Ｖｒｅｆの電源電圧を上回る期間が第１の所定期間Ｔｄを超えると高周波電源回路２の動作を第２の所定期間Ｔｒの間停止させる第１の制限回路４２と、動作停止後の無電極放電灯３の再始動時において検出電圧と基準電圧源Ｖｒｅｆの電源電圧とを比較する第２の比較回路４３と、第２の比較回路４３において検出電圧が基準電圧源Ｖｒｅｆの電源電圧を上回る期間が第３の所定期間Ｔｓを超えると高周波電源回路２の動作を停止させる第２の制限回路４４とから構成される。
【００１９】
直流電源回路１は、商用電源ＡＣの交流出力を整流する整流回路（図示せず）と、整流回路からの脈流電圧を昇圧して平滑化する昇圧チョッパ回路（図示せず）から成り、直流電圧を高周波電源回路２に出力する。尚、整流回路及び昇圧チョッパ回路は従来周知であるので、ここでは詳細な説明を省略するものとする。
【００２０】
高周波電源回路２は、直流電源回路１の出力端間に直列接続された一対のスイッチング素子Ｑ１，Ｑ２を具備し、ローサイドのスイッチング素子Ｑ２にインダクタＬｓ、コンデンサＣｓ，Ｃｐから成る共振回路２０が接続された所謂ハーフブリッジ型のインバータ回路で構成され、電界効果トランジスタからなる一対のスイッチング素子Ｑ１，Ｑ２を、駆動回路２１から出力される矩形波パルスの駆動信号により交互にスイッチングすることで共振回路２０を介して誘導コイル３に高周波電圧Ｖｃｏｉｌを供給する。
【００２１】
共振回路２０の出力端には導電性を有する線材を複数ターン巻回して成る誘導コイル３０が接続され、当該誘導コイル３０に無電極放電灯３が近接配置される。無電極放電灯３は、図２に示すように、不活性ガス・金属蒸気等の放電ガス（例えば、水銀及び希ガス）が封入された透明な略球状のバルブ３１と、バルブ３１に封止されてバルブ３１の内方に突出した略円筒状のキャビティ３２とから成り、キャビティ３２には、バルブ３１を保持するとともにバルブ３１に対する誘導コイル３０の位置決めをするカプラ３３が挿入される。カプラ３３は、誘導コイル３０を保持するボビン３４と、ボビン３４に設けられた略筒状のコア３５とを備えている。
【００２２】
検出回路５は、抵抗Ｒ１，Ｒ２と、ダイオードＤ１，Ｄ２と、コンデンサＣ１とから成り、高周波電圧Ｖｃｏｉｌを分圧するとともに整流・平滑化して第１の比較回路４１又は第２の比較回路４３に出力する。
【００２３】
制御回路４は、高周波電圧Ｖｃｏｉｌを漸増させて無電極放電灯３が始動可能な大きさの高周波電圧Ｖｃｏｉｌを誘導コイル３０に印加する始動モードと、無電極放電灯３が放電を維持できる程度に高周波電圧Ｖｃｏｉｌを誘導コイル３０に印加する点灯期間Ｔ１、及び無電極放電灯３が点灯できない程度の高周波電圧Ｖｃｏｉｌを誘導コイル３０に印加する不点灯期間Ｔ２を交互に繰り返す調光点灯モードとを有する。調光点灯モードでは、発振回路４０において外部から与えられる調光信号に応じて駆動周波数ｆｉｎｖを変更することで点灯期間Ｔ１及び不点灯期間Ｔ２の比率を変更して無電極放電灯３の調光を行う。尚、このような始動制御及び調光点灯制御は従来周知であるので、ここでは詳細な説明を省略するものとする。
【００２４】
第１の比較回路４１は、非反転入力端子に検出回路５の検出電圧が入力されるとともに、反転入力端子に基準電圧源Ｖｒｅｆが接続されるオペアンプＯＰ１から成り、オペアンプＯＰ１の出力電圧が動作停止回路４２に入力されるようになっている。制限回路４２では、オペアンプＯＰ１の出力電圧がハイレベルになって第１の所定期間Ｔｄが経過すると、高周波電源回路２の動作を第２の所定期間Ｔｒの間停止させるように駆動回路２１に動作停止信号を送信する。
【００２５】
第２の比較回路４３は、非反転入力端子に検出回路５の検出電圧が入力されるとともに、反転入力端子に基準電圧源Ｖｒｅｆが接続されるオペアンプＯＰ２と、オペアンプＯＰ２の出力端子に接続される抵抗Ｒ３及びコンデンサＣ２から成る遅延回路とから構成される。コンデンサＣ２の両端間電圧は第２の制限回路４４に入力され、コンデンサＣ２の両端間電圧が所定電圧に達すると高周波電源回路２の動作を停止させるように駆動回路２１に動作停止信号を送信する。コンデンサＣ２は、オペアンプＯＰ２の出力電圧がハイレベルになると抵抗Ｒ３及びコンデンサＣ２から決定される時定数に応じて充電され、第３の所定期間Ｔｓが経過するとその両端間電圧が前記所定電圧に達するように設定されている。尚、基準電圧源Ｖｒｅｆの電源電圧は、高周波電圧Ｖｃｏｉｌが無電極放電灯３の再点弧電圧よりも大きい基準電圧Ｖｂを超えるとオペアンプＯＰ１，ＯＰ２の出力信号がハイレベルとなる値に設定されている。
【００２６】
第１の比較回路４１のオペアンプＯＰ１の非反転入力端子と検出回路５との間、及び第２の比較回路４３のオペアンプＯＰ２の非反転入力端子と検出回路５との間にはそれぞれスイッチＳＷ１，ＳＷ２が挿入されており、これらスイッチＳＷ１，ＳＷ２のオン／オフを切替回路４５によって切り替えている。切替回路４５は、調光点灯モードにおいてはスイッチＳＷ１をオン、スイッチＳＷ２をオフに切り替えることで検出回路５と第１の比較回路４１とを接続し、始動モードにおいてはスイッチＳＷ１をオフ、スイッチＳＷ２をオンに切り替えることで検出回路５と第２の比較回路４３とを接続するように動作する。
【００２７】
以下、本実施形態における無電極放電灯３の外れの検出動作について図１（ｂ）を用いて説明する。調光点灯モードにおいて、無電極放電灯３の外れが発生していない場合では、高周波電圧Ｖｃｏｉｌが基準電圧Ｖｂを超えることがないため、第１の比較回路４１においてオペアンプＯＰ１の出力信号がハイレベルにならず、第１の制限回路４２は動作しない。一方、無電極放電灯３の外れ等不具合が生じた場合、高周波電圧Ｖｃｏｉｌが再点弧電圧に達しても無電極放電灯３が点灯しないために高周波電圧Ｖｃｏｉｌが上昇し続け、基準電圧Ｖｂを超えて第１の比較回路４１のオペアンプＯＰ１の出力信号がハイレベルになる。そして、高周波電圧Ｖｃｏｉｌが基準電圧Ｖｂを上回る期間が第１の所定期間Ｔｄを超えると、第１の制限回路４２が作動して高周波電源回路２の動作を第２の所定期間Ｔｒの間停止させるように駆動回路２１に動作停止信号を送信する。この時、切替回路４５はスイッチＳＷ１をオフ、スイッチＳＷ２をオンに切り替えることで検出回路５と第２の比較回路４３とを接続させる。
【００２８】
第２の所定期間Ｔｒ経過後、高周波電源回路２は無電極放電灯３を再始動させるために始動モードで動作を開始する。ここで、前記調光点灯モードにおける不具合が一時的なもの、例えばノイズ電圧によるものであった場合、無電極放電灯３の外れ等の不具合が無いことから無電極放電灯３が再始動して調光点灯モードに移行する。一方、無電極放電灯３の外れ等不具合が依然として生じている場合は、無電極放電灯３が再始動せずに高周波電圧Ｖｃｏｉｌが基準電圧Ｖｂを超えて第２の比較回路４３のオペアンプＯＰ２の出力信号がハイレベルになり、コンデンサＣ２の充電が開始される。そして、コンデンサＣ２が所定電圧に達する、即ち、高周波電圧Ｖｃｏｉｌが基準電圧Ｖｂを上回る期間が第３の所定期間Ｔｓを超えると、第２の制限回路４４が作動して高周波電源回路２の動作を停止させるように駆動回路２１に動作停止信号を送信する。
【００２９】
上述のように、調光点灯モードにおいて無電極放電灯３の外れを検出した際に高周波電源回路２の動作を第２の所定期間Ｔｒの間停止させ、再始動時の始動モードにおいて再度無電極放電灯３の外れを検出することで、調光点灯モードにおいてノイズ電圧を誤って検出した場合に無電極放電灯３を再始動させることができるので、調光点灯時におけるノイズ電圧による誤検出を無くすことができる。また、無電極放電灯３の外れ等の不具合が生じている場合には、高周波電源回路２の動作を停止させている間に無電極放電灯３内の放電ガスが完全に放電できない状態となるため、始動モードにおいて無電極放電灯３の外れを正確に検出することができる。
【００３０】
尚、第３の所定期間Ｔｓは第１の所定期間Ｔｄよりも長くなるように設定するのが望ましい。この場合、調光点灯モードよりも誤検出の起こり難い始動モードにおける検出期間を長くなるため、無電極放電灯３の外れの検出精度を高めることができる。また、一般に無電極放電灯３内にプラズマが残留する期間が最長で数ミリ秒であることから、第２の所定期間Ｔｒは０．１秒よりも長くなるように設定するのが望ましい。この場合、高周波電源回路２の動作を停止してから無電極放電灯３を再始動するまでの間に無電極放電灯３に残留するプラズマを消滅させることができるので、再始動時における残留プラズマの影響を無くすことができ、無電極放電灯３の外れの検出精度を高めることができる。
【００３１】
（実施形態２）
以下、本発明に係る無電極放電灯点灯装置の実施形態２について図面を用いて説明する。但し、本実施形態の基本的な構成は実施形態１と共通であるので、共通する部位には同一の番号を付して説明を省略するものとする。本実施形態は、図３に示すように、非反転入力端子に基準信号を発振する基準信号回路４６からの基準信号が入力されるとともに、反転入力端子に外部からの調光信号が入力されるオペアンプＯＰ３と、駆動周波数ｆｉｎｖを設定するために発振回路４０に接続されるコンデンサＣ３及び抵抗Ｒ４，Ｒ５の並列回路と、コレクタが抵抗Ｒ４、ベースがオペアンプＯＰ３の出力端子に接続されたエミッタ接地のｎｐｎ形トランジスタ（以下、単に「トランジスタ」と呼ぶ）Ｔｒ１と、オペアンプＯＰ３の出力信号が入力される第１の制限回路４１の動作を第４の所定期間Ｔｍの間停止させる停止回路４７とを実施形態１の制御回路４に新たに備えている。
【００３２】
基準信号回路４６は、一定振幅の鋸波を発生するもので、調光比に応じて電圧レベルが増減する直流電圧信号である調光信号とオペアンプＯＰ３において比較される。オペアンプＯＰ３の出力信号は、鋸波の電圧レベルが調光信号の電圧レベルよりも大きい期間ではハイレベルとなってトランジスタＴｒ１をオンに切り替え、鋸波の電圧レベルが調光信号の電圧レベルよりも小さい期間ではローレベルとなってトランジスタＴｒ１をオフに切り替える。
【００３３】
トランジスタＴｒ１がオフの状態では、発振回路２０はコンデンサＣ３の容量値及び抵抗Ｒ５の抵抗値に基づいて駆動周波数ｆｉｎｖをｆ１に設定する。トランジスタＴｒ１がオンの状態では、発振回路２０はコンデンサＣ３の容量値及び抵抗Ｒ４，Ｒ５の合成抵抗値に基づいて駆動周波数ｆｉｎｖをｆ２に設定する。ここで、図４（ａ）に示すように、駆動周波数ｆｉｎｖがｆ１の場合では、高周波電圧Ｖｃｏｉｌが不点灯時において無電極放電灯３の始動可能な電圧Ｖｓｔを超えるとともに、点灯時において無電極放電灯３を点灯維持可能な電圧Ｖｏｎを超える。また、駆動周波数ｆｉｎｖがｆ２の場合では、高周波電圧Ｖｃｏｉｌが無電極放電灯３を点灯維持可能な電圧Ｖｏｎを下回る。したがって、トランジスタＴｒ１のオン／オフによって無電極放電灯３の点灯・不点灯を切り替えることができる。
【００３４】
したがって、調光比を増減させる、即ち、調光信号の電圧レベルを増減させることで無電極放電灯３の点灯期間Ｔ１及び不点灯期間Ｔ２の比率を変更して無電極放電灯３を調光点灯することができる。例えば調光比が高い場合には、図４（ｂ）に示すように点灯期間Ｔ１が不点灯期間Ｔ２より長くなるように制御され、調光比が低い場合には、図４（ｃ）に示すように点灯期間Ｔ１が不点灯期間Ｔ２より短くなるように制御される。
【００３５】
ここで、オペアンプＯＰ３の出力信号がローレベルの場合には、図４（ｂ），（ｃ）に示すように、停止回路４７が作動して第１の制限回路４２の動作を第４の所定期間Ｔｍの間停止させる。この第４の所定期間Ｔｍは、点灯期間Ｔ１において無電極放電灯３が再点弧する期間に該当する。即ち、当該期間での第１の制限回路４２の動作を停止させることで、無電極放電灯３の再点弧電圧によって第１の制限回路４２が高周波電源回路２の動作を停止させるのを防いでいる。
【００３６】
而して、無電極放電灯３の再点弧電圧によって無電極放電灯３の外れ等の不具合を誤って検出することがないので、基準電圧Ｖｂを無電極放電灯３の再点弧電圧よりも低く設定することができる。このため、高周波電源回路２に高電圧が印加される前に無電極放電灯３の外れ等の不具合を検出することができるので、高電圧によって高周波電源回路２に与えるストレスを低減することができる。
【００３７】
尚、上記各実施形態は、無電極放電灯３とともに照明器具の器具本体に搭載されて用いられる。例えば、図５に示すように、天井に取り付けられて上記何れかの実施形態の無電極放電灯点灯装置Ａを収納するとともに無電極放電灯３を保持する保持部６０を有する器具本体６を具備する照明器具に用いられる。ここで、同図に示すように、保持部６０は無電極放電灯３よりも同図における上側、即ち、重力方向において無電極放電灯３よりも重力向きと反対側に位置するように設けられるのが望ましい。この場合、衝撃や経年劣化によって保持部６０が無電極放電灯３を保持する機能を失った際に、一定期間後に無電極放電灯３が自重により下向きに移動して誘導コイル３０からの距離が十分に遠くなる。而して、確実に無電極放電灯３が点灯しなくなるために無電極放電灯３の外れの検出精度を高めることができる。
【図面の簡単な説明】
【００３８】
【図１】本発明に係る無電極放電灯点灯装置の実施形態１を示す図で、（ａ）は回路図で、（ｂ）は動作を示すタイムチャートである。
【図２】同上の無電極放電灯の概略図である。
【図３】本発明に係る無電極放電灯点灯装置の実施形態２を示す回路図である。
【図４】（ａ）は同上における高周波電圧の周波数特性を示す動作特性図で、（ｂ）は同上における調光比が高い場合の動作を示すタイムチャートで、（ｃ）は同上における調光比が低い場合の動作を示すタイムチャートである。
【図５】本発明に係る照明器具の実施形態を示す概略図である。
【図６】従来の無電極放電灯点灯装置の動作を示すタイムチャートである。
【符号の説明】
【００３９】
１  直流電源回路
２  高周波電源回路
２０  共振回路
２１  駆動回路
３  無電極放電灯
３０  誘導コイル
４  制御回路
５  検出回路
Ｑ１，Ｑ２  スイッチング素子
【図１】
2010147011.tif 000003
【図２】
2010147011.tif 000004
【図３】
2010147011.tif 000005
【図４】
2010147011.tif 000006
【図５】
2010147011.tif 000007
【図６】
2010147011.tif 000008